(57)【要約】【課題】  Ｖ．８手順及びその後のＶ．３４手順による手動送信を確実に実行できる通信端末装置を提供する。【解決手段】  ＩＴＵ−Ｔ勧告のＶ．３４手順の前にＶ．８手順を実行できる通信端末装置１であって、受信機２２により返信されたＡＮＳａｍ信号及びＤＩＳ（Ｖ．２１）信号を受信する受信手段と、この受信手段によりＡＮＳａｍ信号が受信された後でＤＩＳ（Ｖ．２１）信号が受信されかつこのＤＩＳ（Ｖ．２１）信号にＶ．８ビットが設定されている場合に、ＣＩ信号を受信機２２へ送信する第１送信手段と、受信手段により再度ＡＮＳａｍ信号が受信されかつこのＡＮＳａｍ信号にＶ．８ビットが設定されている場合に、ＣＭ信号を受信機２２へ送信する第２送信手段と、を備えた。【選択図】      図３
2007110587.tif 000002
【特許請求の範囲】
【請求項１】
ＩＴＵ−Ｔ勧告のＶ．３４手順の前にＶ．８手順を実行できる通信端末装置であって、
受信機により返信されたＡＮＳａｍ信号及びＤＩＳ（Ｖ．２１）信号を受信する受信手段と、
この受信手段によりＡＮＳａｍ信号が受信された後でＤＩＳ（Ｖ．２１）信号が受信されかつこのＤＩＳ（Ｖ．２１）信号にＶ．８ビットが設定されている場合に、ＣＩ信号を前記受信機へ送信する第１送信手段と、
前記受信手段により再度ＡＮＳａｍ信号が受信されかつこのＡＮＳａｍ信号にＶ．８ビットが設定されている場合に、ＣＭ信号を前記受信機へ送信する第２送信手段と、
を備えたことを特徴とする通信端末装置。
【請求項２】
前記第１送信手段は、前記受信手段によるＤＩＳ（Ｖ．２１）信号の受信回数が設定回数に達していない場合に、ＣＩ信号を前記受信機へ送信する一方、前記受信手段によるＤＩＳ（Ｖ．２１）信号の受信回数が設定回数に達した場合に、ＤＣＳ（Ｖ．２１）信号を前記受信機へ送信することを特徴とする請求項１記載の通信端末装置。
【発明の詳細な説明】
【技術分野】
【０００１】
本発明は、ＩＴＵ−Ｔ（国際電気通信連合−電気通信標準化部門）勧告のＶ．３４手順の前にＶ．８手順を実行できる通信端末装置に関するものである。
【背景技術】
【０００２】
周知のように、最高速度３３６００ｂｐｓ（bits per second）でファクス通信を行う、いわゆるスーパーＧ３（group 3）ＦＡＸの通信手順においては、ＩＴＵ−Ｔ勧告のＶ．３４手順の前にＶ．８手順が実行される。
【０００３】
このＶ．８手順を手動送信時や手動受信時においても的確に実行するための従来の技術としては、例えば、通信選択時に、呼出信号検出手段により呼出信号が検出されていない場合は送信機としてＣＩ信号（起呼表示信号）又はＣＭ信号（起呼メニュー信号）を受信機へＰＳＴＮ（public switched telephone network、公衆電話交換網）を介して送信する一方、呼出信号検出手段により呼出信号が検出された場合は受信機としてＡＮＳａｍ信号（変形応答トーン信号）又はＪＭ信号（共通メニュー信号）を送信機へＰＳＴＮを介して返信することを特徴とするファクシミリ装置が知られている（例えば、特許文献１参照。）。
【特許文献１】特開平８−３３６０２６号公報（請求項１等）
【発明の開示】
【発明が解決しようとする課題】
【０００４】
しかしながら、上記のような従来のファクシミリ装置では、受信機により返信されたＡＮＳａｍ信号の受信途中で送信機により手動送信が開始され、送信機により送信されたＣＭ信号を受信機がＡＮＳａｍ信号を返信している時に受信できない場合、Ｖ．８手順が実行されず、通信エラーになるおそれがあるという問題点がある。
【０００５】
本発明は、以上のような問題点に鑑みてなされたものであり、Ｖ．８手順及びその後のＶ．３４手順による手動送信を確実に実行できる通信端末装置を提供することを目的とする。
【課題を解決するための手段】
【０００６】
上記目的を達成するための請求項１の発明は、ＩＴＵ−Ｔ勧告のＶ．３４手順の前にＶ．８手順を実行できる通信端末装置であって、受信機により返信されたＡＮＳａｍ信号及びＤＩＳ（Ｖ．２１）信号を受信する受信手段と、この受信手段によりＡＮＳａｍ信号が受信された後でＤＩＳ（Ｖ．２１）信号が受信されかつこのＤＩＳ（Ｖ．２１）信号にＶ．８ビットが設定されている場合に、ＣＩ信号を前記受信機へ送信する第１送信手段と、前記受信手段により再度ＡＮＳａｍ信号が受信されかつこのＡＮＳａｍ信号にＶ．８ビットが設定されている場合に、ＣＭ信号を前記受信機へ送信する第２送信手段と、を備えたものである。
【０００７】
請求項２の発明は、前記第１送信手段が、前記受信手段によるＤＩＳ（Ｖ．２１）信号の受信回数が設定回数に達していない場合に、ＣＩ信号を前記受信機へ送信する一方、前記受信手段によるＤＩＳ（Ｖ．２１）信号の受信回数が設定回数に達した場合に、ＤＣＳ（Ｖ．２１）信号を前記受信機へ送信するものである。
【発明の効果】
【０００８】
請求項１の発明によれば、中途半端なタイミングで受信した可能性がある最初のＡＮＳａｍ信号を無視し、Ｖ．８ビットが設定されているＤＩＳ（Ｖ．２１）信号を受信した後でＣＩ信号を送信するので、Ｖ．８手順及びその後のＶ．３４手順による手動送信を確実に実行することができる。
【０００９】
請求項２の発明によれば、ＤＩＳ（Ｖ．２１）信号の受信回数が設定回数に達した場合に通常のＧ３手順が実行されるので、Ｇ３手順に移行した後でＶ．８手順に復帰できないのにＶ．８ビットが設定される受信機であっても、Ｇ３手順に移行させることができる。
【発明を実施するための最良の形態】
【００１０】
以下、本発明の実施形態を図面に基づいて説明する。
本実施形態に係る通信端末装置１は、図１に示すように、主な構成要素として、制御部２、フラッシュメモリ３、ＲＡＭ（random access memory、随時書き込み読み出しメモリ）４、画像メモリ５、コーデック（ＣＯＤＥＣ）６、モデム７、ＮＣＵ（network control unit、回線網制御装置）８、記録部９、読取部１０、操作部１１、及び表示部１２を備えたものであり、各構成要素はバス１３を介して互いに通信可能に接続されている。
【００１１】
フラッシュメモリ３は、各構成要素の動作を制御するための制御プログラム等を記憶している。制御部２は、ＣＰＵ（central processing unit、中央処理装置）等で構成されており、フラッシュメモリ３上の制御プログラム等に従って各構成要素の動作を制御する。制御プログラム等を記憶する記憶手段は、フラッシュメモリ３の他、ＲＯＭ（read only memory、読み出し専用メモリ）やＨＤＤ（hard disk drive）等であってもよい。
【００１２】
ＲＡＭ４は、通信端末装置１に関する各種の情報を一時的に記憶する。読取部１０は、原稿の画像を画像データとして読み取る。画像メモリ５は、読み取られた画像データを一時的に記憶する。記録部９は、記憶された画像データ等を電子写真方式等により記録用紙に印刷する。このように、通信端末装置１は、原稿の画像を画像データとして読み取る読取手段、この読取手段により読み取られた画像データを記憶する画像データ記憶手段、及びこの画像データ記憶手段により記憶された画像データを記録用紙に印刷する記録手段を備えている。
【００１３】
表示部１２は、操作部１１等に併設されたＬＣＤ（liquid crystal display、液晶ディスプレイ）等で構成されており、各種の情報を表示する。操作部１１は、選択キーや入力キー等、各種の操作をするための操作キー等を備えている。通信端末装置１に対するユーザによる各種の操作は、この操作部１１を通じて行われる。なお、表示部１２をタッチパネルとしておき、このタッチパネルとしての表示部１２が操作部１１としても機能するように構成してもよい。
【００１４】
コーデック６は、読み取られた画像データを送信等のためにＭＨ（modified Huffman）方式、ＭＲ（modified read）方式、ＭＭＲ（modified modified read）方式等により符号化したり、受信した画像データを復号化したりする。
【００１５】
モデム７は、最高速度３３６００ｂｐｓでファクス通信を行う、いわゆるスーパーＧ３ＦＡＸ通信機能を有しており、ＩＴＵ−Ｔ勧告のＶ．３４手順及びその前手順としてのＶ．８手順に従った送信データの変調及び受信データの復調を行う。但し、Ｖ．８手順を実行できない場合、モデム７は通常のＧ３手順（ＩＴＵ−Ｔ勧告のＶ．２１手順）に従った送信データの変調及び受信データの復調を行う。
【００１６】
ＮＣＵ８は、ＰＳＴＮ２１に接続されており、電話回線を制御して電話をかけたり切ったりする。ＰＳＴＮ２１には、通信端末装置１と同様に構成された通信端末装置である受信機２２が接続されている。通信端末装置１のモデム７は、各種の信号を受信機２２へＰＳＴＮ２１を介して送信すると共に、受信機２２によりＰＳＴＮ２１を介して返信された各種の信号を受信する。
【００１７】
上記のように構成された通信端末装置１は、いわゆるスーパーＧ３ＦＡＸ通信機やＧ３ＦＡＸ通信機の他、インターネットＦＡＸ通信機、コピー機、ネットワークプリンタ、及びネットワークスキャナのうちの少なくともいずれかとしても機能する複合機等であってもよい。
【００１８】
次に、手動送信処理の一例を図２に示すフローチャートに基づいて説明する。なお、この処理は、フラッシュメモリ３上の制御プログラム等に基づいて制御部２が発行する命令に従って行われる。手動送信は、通信端末装置１のＮＣＵ８によりかけられた電話が受信機２２につながった状態で、受信機２２の図示しない操作部の操作により手動受信が開始された後、通信端末装置１の操作部１１の操作により開始される。
【００１９】
手動送信処理において、ＡＮＳａｍ信号（変形応答トーン信号）を受信せず（ステップＳ１でＮＯ）、ＣＥＤ信号（被呼局識別信号）を受信せず（ステップＳ２でＮＯ）、かつ、手動送信の開始時から、フラッシュメモリ３等の記憶手段に記憶された設定時間を経過していない場合は（ステップＳ３でＮＯ）、ステップＳ１に戻る。ステップＳ２でＣＥＤ信号を受信した場合は（ステップＳ２でＹＥＳ）、通常のＧ３手順が実行され（ステップＳ４）、処理が終了する。Ｇ３手順においては、まず、通信端末装置１から受信機２２へＤＣＳ（Ｖ．２１）信号（デジタル命令信号）が送信される。また、ステップＳ３で設定時間が経過した場合は（ステップＳ３でＹＥＳ）、処理が終了する。
【００２０】
ステップＳ１でＡＮＳａｍ信号を受信したが（ステップＳ１でＹＥＳ）、ＤＩＳ（Ｖ．２１）信号（デジタル識別信号）を受信せず（ステップＳ５でＮＯ）、かつ、手動送信の開始時から、フラッシュメモリ３等の記憶手段に記憶された設定時間を経過していない場合（タイムアウトでない場合）は（ステップＳ６でＮＯ）、ステップＳ５に戻る。ステップＳ６で設定時間が経過した場合（タイムアウトの場合）は（ステップＳ６でＹＥＳ）、処理が終了する。
【００２１】
なお、ここでいうＶ．２１とは、ＩＴＵ−Ｔ勧告のＶ．２１手順をいい、通常のＧ３手順で使用されるモデム変調方式である。ＤＣＳ（Ｖ．２１）信号やＤＩＳ（Ｖ．２１）信号は、それぞれＩＴＵ−Ｔ勧告のＶ．２１手順で使用されるＤＣＳ信号やＤＩＳ信号を意味し、いわゆるスーパーＧ３手順で使用されるものと区別するために「（Ｖ．２１）」と記載したものである。
【００２２】
ステップＳ５でＤＩＳ（Ｖ．２１）信号を受信し（ステップＳ５でＹＥＳ）、このＤＩＳ（Ｖ．２１）信号にＶ．８ビットが設定されており（Ｖ．８手順が実行可能である旨の情報を有し）（ステップＳ７でＹＥＳ）、かつ、ＤＩＳ（Ｖ．２１）信号の受信回数が、フラッシュメモリ３等の記憶手段に記憶された設定回数に達していない場合は（ステップＳ８でＮＯ）、ＣＩ信号（起呼表示信号）が送信される（ステップＳ９）。ステップＳ７でＶ．８ビットが設定されていない場合（ステップＳ７でＮＯ）や、ステップＳ８でＤＩＳ（Ｖ．２１）信号の受信回数が設定回数に達した場合は（ステップＳ８でＹＥＳ）、ステップＳ４に進む。このように、ＤＩＳ（Ｖ．２１）信号の受信回数が設定回数に達した場合に通常のＧ３手順が実行されるように構成しておけば、Ｇ３手順に移行した後でＶ．８手順に復帰できないのにＶ．８ビットが設定される受信機２２であっても、Ｇ３手順に移行させることができるという利点がある。
【００２３】
そして、再度ＡＮＳａｍ信号を受信していない場合は（ステップＳ１０でＮＯ）、ステップＳ５に戻る。ステップＳ１０で再度ＡＮＳａｍ信号を受信したが（ステップＳ１０でＹＥＳ）、このＡＮＳａｍ信号にＶ．８ビットが設定されていない場合は（ステップＳ１１でＮＯ）、ステップＳ４に進む。ステップＳ１１でＡＮＳａｍ信号にＶ．８ビットが設定されている場合は（ステップＳ１１でＹＥＳ）、Ｖ．８手順（ステップＳ１２）及びＶ．３４手順（ステップＳ１３）が順に実行され、処理が終了する。
【００２４】
ステップＳ１、Ｓ５、Ｓ９、Ｓ１０、Ｓ１２のタイミングフローは図３のようになるが、再度ＡＮＳａｍ信号を受信した後のＶ．８手順においては、通信端末装置１によりＣＭ信号（起呼メニュー信号）が送信される。次いで、ＣＭ信号を受信した受信機２２によりＪＭ信号（共通メニュー信号）が返信され、このＪＭ信号を受信した通信端末装置１によりＣＪ信号（ＣＭ終端信号）が送信された後、通信端末装置１及び受信機２２において、図示しないその他のＶ．８手順及びＶ．３４手順が順に実行される。
【００２５】
上記のように構成された通信端末装置１によれば、中途半端なタイミングで受信した可能性がある最初のＡＮＳａｍ信号を無視し、Ｖ．８ビットが設定されているＤＩＳ（Ｖ．２１）信号を受信した後でＣＩ信号を送信するように構成されているので、Ｖ．８手順及びその後のＶ．３４手順による手動送信を確実に実行できるという利点がある。
【産業上の利用可能性】
【００２６】
以上のように、本発明に係る通信端末装置は、Ｖ．８手順及びその後のＶ．３４手順による手動送信を確実に実行できるようにするのに適している。
【図面の簡単な説明】
【００２７】
【図１】実施形態に係る通信端末装置の構成例を示すブロック図。
【図２】手動送信処理の一例を示すフローチャート。
【図３】手動送信の開始時付近のタイミングフローを示すタイミングチャート。
【符号の説明】
【００２８】
１  通信端末装置
２  制御部
３  フラッシュメモリ
４  ＲＡＭ
５  画像メモリ
６  コーデック
７  モデム
８  ＮＣＵ
１１  操作部
２１  ＰＳＴＮ
２２  受信機
【図１】
2007110587.tif 000003
【図２】
2007110587.tif 000004
【図３】
2007110587.tif 000005